(57)【要約】【課題】２系統の電源回路部及びアダプタカードとバックボートとの間を接続する各コネクタ部の何れかが支障を来して電源とＧＮＤとがショートした場合でも、装置全体の正常動作の継続が可能で安定動作が保証され得るディスクエンクロージャ装置（ＤＥＳ）を提供すること。【解決手段】このＤＥＳ１０の場合、バックボード（ＢＢ）８上の電源パターンとアダプタカード（ＡＤＰ０，ＡＤＰ１）４１，４２上におけるホットスワップ回路（ＨＯＴ  ＳＷＡＰ０，ＨＯＴ  ＳＷＡＰ１）５，６，１５，１６とを２重化増設し、２系統の電源回路部（ＰＳ０，ＰＳ１）７，１７からバックボード  （ＢＢ）８の電源パターンを介してホットスワップ回路（ＨＯＴ  ＳＷＡＰ０，ＨＯＴ  ＳＷＡＰ１）５，１５とホットスワップ回路（ＨＯＴ  ＳＷＡＰ０，ＨＯＴ  ＳＷＡＰ１）６，１６とに対して電源供給できるようにしている。【選択図】図１
2007233793.tif 000002
【特許請求の範囲】
【請求項１】
冗長性を保持するために２系統の電源回路部及びアダプタカードを備えると共に、該２系統の電源回路部及びアダプタカードの間をバックボートを介在させてそれぞれコネクタ部により接続して成るディスクエンクロージャ装置において、前記２系統のアダプタカード上には、それぞれ一対のホットスワップ回路が２重化されて設けられ、前記バックボートは、前記２系統の電源回路部から前記２系統のアダプタカードにおける前記一対のホットスワップ回路へそれぞれ電源供給するための電源パターンを有し、前記コネクタ部にあっての前記２系統のアダプタカードと前記バックボートとの間を接続する一対のものは、それぞれ前記電源パターンの２系統のものに接続される構造を持つことを特徴とするディスクエンクロージャ装置。
【請求項２】
請求項１記載のディスクエンクロージャ装置において、前記コネクタ部にあっての前記２系統の電源回路部と前記バックボートとの間を接続する一対のものは、それぞれ前記電源パターンの１系統のものに接続される構造を持つことを特徴とするディスクエンクロージャ装置。
【請求項３】
請求項２記載のディスクエンクロージャ装置において、前記バックボート上に設けられた前記電源パターンは、前記コネクタ部にあっての前記１系統のものに接続される構造のものから前記２系統のものに接続される構造のものへと分岐されたパターン形状を有することを特徴とするディスクエンクロージャ装置。
【請求項４】
請求項１〜３の何れか一つに記載のディスクエンクロージャ装置において、前記２系統のアダプタカードにあっての前記一対のホットスワップ回路にはそれぞれダイオードが接続されたことを特徴とするディスクエンクロージャ装置。
【請求項５】
請求項４記載のディスクエンクロージャ装置において、前記ダイオードにあっての前記一対のホットスワップ回路に接続されたものは、互いに出力側が接続されて成ることを特徴とするディスクエンクロージャ装置。
【請求項６】
請求項５記載のディスクエンクロージャ装置において、前記ダイオードにあっての前記出力側の接続部分の後段には、所定の電源供給を行うための直流／直流変換を行うＤＣ／ＤＣコンバータの入力側が接続されて成ることを特徴とするディスクエンクロージャ装置。
【発明の詳細な説明】
【技術分野】
【０００１】
本発明は、主としてディスクアレイ装置に接続されて使用されると共に、冗長性を保持するために２系統の電源回路部及びアダプタカードを有するディスクエンクロージャ装置に関する。
【背景技術】
【０００２】
従来、この種のディスクエンクロージャ装置としては、例えば図２に示されるような構成のもの（研究開発済みで製品化されているが、文献公知に係る発明でないもの）が挙げられる。
【０００３】
このディスクエンクロージャ装置（ＤＥＳ）１０′の場合、通常ディスクアレイ装置に接続されるときに冗長性を保つことが要求されるため、それぞれ２系統（２台）の電源回路部（ＰＳ０，ＰＳ１）７，１７とアダプタカード（ＡＤＰ０，ＡＤＰ１）４１′，４２′とを備えると共に、これらの間をバックボート（ＢＢ）８′を介在させてそれぞれコネクタ部９，１９，２０′，３０′により接続した構成とすることにより、電源回路部（ＰＳ０，ＰＳ１）７，１７やアダプタカード（ＡＤＰ０，ＡＤＰ１）４１′，４２′における１系統（１台）のものが故障した場合にも動作を継続できるようにしている。
【０００４】
具体的に言えば、電源回路部（ＰＳ０）７とバックボート（ＢＢ）８′との間がコネクタ部９で接続され、電源回路部（ＰＳ１）１７とバックボート（ＢＢ）８′との間がコネクタ部１９で接続され、アダプタカード（ＡＤＰ０）４１′とバックボート（ＢＢ）８′との間がコネクタ部２０′で接続され、アダプタカード（ＡＤＰ１）４２′とバックボート（ＢＢ）８′との間がコネクタ部３０′で接続された上、バックボート（ＢＢ）８′上には、電源回路部（ＰＳ０）７からアダプタカード（ＡＤＰ０，ＡＤＰ１）４１′，４２′へ電源供給されると共に、電源回路部（ＰＳ１）１７からも同様にアダプタカード（ＡＤＰ０，ＡＤＰ１）４１′，４２′へ電源供給されるように電源パターンが施されている。尚、ここでの各コネクタ部９，１９，２０′，３０′は、何れも電源パターンの１系統のものに接続される構造となっている。このため、バックボート（ＢＢ）８′上の電源パターンは、電源回路部（ＰＳ０）７からアダプタカード（ＡＤＰ０）４１′へ向かう直線状パターンと電源回路部（ＰＳ１）１７からアダプタカード（ＡＤＰ１）４２′へ向かう直線状パターンとの間をそれらの延在方向と垂直な方向で他の直線状パターンにより結合したパターン形状となっている。
【０００５】
又、アダプタカード（ＡＤＰ０）４１′については、入力側からそれぞれホットスワップ回路（ＨＯＴ  ＳＷＡＰ０）５，ダイード３，及びＤＣ／ＤＣコンバータ（ＤＤ  Ｃｏｎ）２が直接接続され、バックボート（ＢＢ）８′上の電源パターンからの電源供給を各部を介してＤＣ／ＤＣコンバータ（ＤＤ  Ｃｏｎ）２から送出するようになっており、アダプタカード（ＡＤＰ１）４２′についても同様に、入力側からそれぞれホットスワップ回路（ＨＯＴ  ＳＷＡＰ０）１５，ダイード１３，及びＤＣ／ＤＣコンバータ（ＤＤ  Ｃｏｎ）１２が直接接続され、バックボート（ＢＢ）８′上の電源パターンからの電源供給を各部を介してＤＣ／ＤＣコンバータ（ＤＤ  Ｃｏｎ）１２から送出するようになっている。
【０００６】
このような構成のディスクエンクロージャ装置（ＤＥＳ）１０′の場合、例えばアダプタカード（ＡＤＰ０）４１′上で電源系の故障等により電源とＧＮＤとがショートした場合、ホットスワップ回路（ＨＯＴ  ＳＷＡＰ０）５が過電流を検出して出力を停止するため、アダプタカード（ＡＤＰ０）４１′は動作停止状態となる。しかしながら、アダプタカード（ＡＤＰ１）４２′については影響が無くて動作継続する。この結果、装置全体としては冗長構成より正常動作の継続が可能となる。
【０００７】
或いは、同様にアダプタカード（ＡＤＰ１）４２′上で電源系の故障等により電源とＧＮＤとがショートした場合についても、ホットスワップ回路（ＨＯＴ  ＳＷＡＰ０）１５が過電流を検出して出力を停止するため、アダプタカード（ＡＤＰ１）４２′は動作停止状態となる。しかしながら、アダプタカード（ＡＤＰ０）４１′については影響が無くて動作継続する。この結果、装置全体としては冗長構成より正常動作の継続が可能となる。
【０００８】
一方、電源回路部（ＰＳ０）７の内部で故障が発生して電源とＧＮＤとがショートして出力停止された場合、電源回路部（ＰＳ０）７の出力側に実装されたダイオードの働きにより、電源回路部（ＰＳ１）１７側からの電流の流れ込みを防ぐことができるため、電源回路部（ＰＳ１）１７により動作継続する。この結果、装置全体としては冗長構成より正常動作の継続が可能となる。
【０００９】
或いは、同様に電源回路部（ＰＳ１）１７の内部で故障が発生して電源とＧＮＤとがショートして出力停止された場合についても、電源回路部（ＰＳ１）１７の出力側に実装されたダイオードの働きにより、電源回路部（ＰＳ０）７側からの電流の流れ込みを防ぐことができるため、電源回路部（ＰＳ０）７により動作継続する。この結果、装置全体としては冗長構成より正常動作の継続が可能となる。
【００１０】
因みに、ここでのアダプタカード（ＡＤＰ０，ＡＤＰ１）４１′，４２′に導入されたホットスワップ回路（ＨＯＴ  ＳＷＡＰ０）５，１５におけるホット・スワップ機能については、例えば最小限の変更で既存の回路およびドライバを使用してホット・スワップ機能を提供するシステムおよび方法（特許文献１参照）等に開示された周知なものである。
【００１１】
【特許文献１】特表２００３−５１９８３７号公報（要約）
【発明の開示】
【発明が解決しようとする課題】
【００１２】
上述した図２に示すディスクエンクロージャ装置（ＤＥＳ）１０′の場合、２系統の電源回路部（ＰＳ０，ＰＳ１）７，１７やアダプタカード（ＡＤＰ０，ＡＤＰ１）４１′，４２′における１系統のものが故障した場合には動作継続できるようになっているが、例えば電源回路部（ＰＳ０）７のコネクタ部９又は電源回路部（ＰＳ１）１７のコネクタ部１９にピン曲がり等が発生して電源とＧＮＤとがショートしてしまうと、２系統の電源回路部（ＰＳ０，ＰＳ１）７，１７が何れも過電流を検出して出力を停止するため、２系統のアダプタカード（ＡＤＰ０，ＡＤＰ１）４１′，４２′への電源供給が停止し、装置全体が停止状態となってしまう。同様に、アダプタカード（ＡＤＰ０）４１′のコネクタ部２０′又はアダプタカード（ＡＤＰ１）４２′のコネクタ部３０′にピン曲がり等が発生して電源とＧＮＤとがショートしたときにも、２系統の電源回路部（ＰＳ０，ＰＳ１）７，１７が何れも過電流を検出して２系統のアダプタカード（ＡＤＰ０，ＡＤＰ１）４１′，４２′への電源供給が停止するため、装置全体が停止状態となってしまう。
【００１３】
即ち、上述したディスクエンクロージャ装置（ＤＥＳ）１０′においては、２系統の電源回路部（ＰＳ０，ＰＳ１）７，１７及びアダプタカード（ＡＤＰ０，ＡＤＰ１）４１′，４２′とバックボート（ＢＢ）８′との間を接続する各コネクタ部９，１９，２０′，３０′の何れかが支障を来して電源とＧＮＤとがショートすると装置全体が停止状態となってしまうため、取り扱い上において必ずしも安定動作が保証され得ないという問題がある。
【００１４】
本発明は、このような課題点を解決すべくなされたもので、その技術的課題は、２系統の電源回路部及びアダプタカードとバックボートとの間を接続する各コネクタ部の何れかが支障を来して電源とＧＮＤとがショートした場合でも、装置全体の正常動作の継続が可能で安定動作が保証され得るディスクエンクロージャ装置を提供することにある。
【課題を解決するための手段】
【００１５】
本発明によれば、冗長性を保持するために２系統の電源回路部及びアダプタカードを備えると共に、該２系統の電源回路部及びアダプタカードの間をバックボートを介在させてそれぞれコネクタ部により接続して成るディスクエンクロージャ装置において、２系統のアダプタカード上には、それぞれ一対のホットスワップ回路が２重化されて設けられ、バックボートは、２系統の電源回路部から２系統のアダプタカードにおける一対のホットスワップ回路へそれぞれ電源供給するための電源パターンを有し、コネクタ部にあっての２系統のアダプタカードとバックボートとの間を接続する一対のものは、それぞれ電源パターンの２系統のものに接続される構造を持つディスクエンクロージャ装置が得られる。
【００１６】
又、本発明によれば、上記ディスクエンクロージャ装置において、コネクタ部にあっての２系統の電源回路部とバックボートとの間を接続する一対のものは、それぞれ電源パターンの１系統のものに接続される構造を持つディスクエンクロージャ装置が得られる。
【００１７】
更に、本発明によれば、上記ディスクエンクロージャ装置において、バックボート上に設けられた電源パターンは、コネクタ部にあっての１系統のものに接続される構造のものから２系統のものに接続される構造のものへと分岐されたパターン形状を有するディスクエンクロージャ装置が得られる。
【００１８】
加えて、本発明によれば、上記何れか一つのディスクエンクロージャ装置において、２系統のアダプタカードにあっての一対のホットスワップ回路にはそれぞれダイオードが接続されたディスクエンクロージャ装置が得られる。
【００１９】
一方、本発明によれば、上記ディスクエンクロージャ装置において、ダイオードにあっての一対のホットスワップ回路に接続されたものは、互いに出力側が接続されて成るディスクエンクロージャ装置が得られる。
【００２０】
他方、本発明によれば、上記ディスクエンクロージャ装置において、ダイオードにあっての出力側の接続部分の後段には、所定の電源供給を行うための直流／直流変換を行うＤＣ／ＤＣコンバータの入力側が接続されて成るディスクエンクロージャ装置が得られる。
【発明の効果】
【００２１】
本発明のディスクエンクロージャ装置の場合、バックボード上の電源パターン及びアダプタカード上におけるホットスワップ回路を増設し、２系統のアダプタカード上におけるホットスワップ回路を２重化すると共に、２系統の電源回路部からバックボード上の電源パターンを介して増設された各ホットスワップ回路へ電源供給できるようにしているので、活線挿抜可能な各電源回路部のコネクタ部や各アダプタカードのコネクタ部にピン折れ等が発生して電源とＧＮＤとがショートした場合であっても、装置全体の正常動作の継続が可能となり、取り扱い上における安定動作が格段に保証され得るようになる。
【発明を実施するための最良の形態】
【００２２】
本発明の最良の形態に係るディスクエンクロージャ装置は、冗長性を保持するために２系統の電源回路部及びアダプタカードを備えると共に、これらの電源回路部及びアダプタカードの間をバックボートを介在させてそれぞれコネクタ部により接続して成る基本構成のものにおいて、２系統のアダプタカード上には、それぞれ一対のホットスワップ回路を２重化して設け、バックボートについては、２系統の電源回路部から２系統のアダプタカードにおける一対のホットスワップ回路へそれぞれ電源供給するための電源パターンを有するものとし、コネクタ部にあっての２系統のアダプタカードとバックボートとの間を接続する一対のものについては、それぞれ電源パターンの２系統のものに接続される構造を持つようにしたものである。
【００２３】
但し、このディスクエンクロージャ装置の場合、コネクタ部にあっての２系統の電源回路部とバックボートとの間を接続する一対のものは、それぞれ電源パターンの１系統のものに接続される構造を持つようにした上、バックボート上に設けられた電源パターンについては、コネクタ部にあっての１系統のものに接続される構造のものから２系統のものに接続される構造のものへと分岐されたパターン形状を有するものとすることが好ましい。又、２系統のアダプタカードにあっての一対のホットスワップ回路にはそれぞれダイオードが接続されるようにした上、ダイオードにあっての一対のホットスワップ回路に接続されたものについては、互いに出力側が接続されて成るものとすることが好ましい。更に、ダイオードにあっての出力側の接続部分の後段については、所定の電源供給を行うための直流／直流変換を行うＤＣ／ＤＣコンバータの入力側が接続されて成るものとすることが好ましい。
【００２４】
こうした構成のディスクエンクロージャ装置は、バックボード上の電源パターン及びアダプタカード上におけるホットスワップ回路を増設し、２系統のアダプタカード上におけるホットスワップ回路を２重化すると共に、２系統の電源回路部からバックボード上の電源パターンを介して増設された各ホットスワップ回路へ電源供給できるようにしているので、活線挿抜可能な各電源回路部のコネクタ部や各アダプタカードのコネクタ部にピン折れ等が発生して電源とＧＮＤとがショートした場合であっても、装置全体の正常動作の継続（冗長運転）が可能となる。
【００２５】
以下は、本発明のディスクエンクロージャ装置について、実施例を挙げて具体的に図面を参照して説明する。
【実施例】
【００２６】
図１は、本発明の実施例に係るディスクエンクロージャ装置（ＤＥＳ）１０の基本構成を示した概略回路ブロック図である。このディスクエンクロージャ装置（ＤＥＳ）１０においても、図２に示した構成のものと同様に、それぞれ２系統（２台）の電源回路部（ＰＳ０，ＰＳ１）７，１７とアダプタカード（ＡＤＰ０，ＡＤＰ１）４１，４２とを備えると共に、これらの間をバックボート（ＢＢ）８を介在させてそれぞれコネクタ部９，１９，２０，３０により接続した構成とすることにより、電源回路部（ＰＳ０，ＰＳ１）７，１７やアダプタカード（ＡＤＰ０，ＡＤＰ１）４１，４２における１系統（１台）のものが故障した場合にも動作継続を可能としている。
【００２７】
但し、このディスクエンクロージャ装置（ＤＥＳ）１０の場合、２系統のアダプタカード（ＡＤＰ０，ＡＤＰ１）４１，４２については、図２で説明したディスクエンクロージャ装置（ＤＥＳ）１０′の２系統のアダプタカード（ＡＤＰ０，ＡＤＰ１）４１′，４２′とは異なる構成を持つ。
【００２８】
即ち、アダプタカード（ＡＤＰ０）４１については、その表面上に一対のホットスワップ回路（ＨＯＴ  ＳＷＡＰ０，ＨＯＴ  ＳＷＡＰ１）５，６が２重化されて設けられ、各ホットスワップ回路（ＨＯＴ  ＳＷＡＰ０，ＨＯＴ  ＳＷＡＰ１）５，６にはそれぞれダイオード３，４が接続されると共に、各ダイオード３，４の出力側が互いに接続された上、各ダイオード３，４の出力側の接続部分の後段には所定の電源供給を行うための直流／直流変換を行うＤＣ／ＤＣコンバータ（ＤＤ  Ｃｏｎ）２の入力側が接続され、ＤＣ／ＤＣコンバータ（ＤＤ  Ｃｏｎ）２の出力側から電源供給を送出するように構成されている。
【００２９】
アダプタカード（ＡＤＰ１）４２についても同様に、その表面上に一対のホットスワップ回路（ＨＯＴ  ＳＷＡＰ０，ＨＯＴ  ＳＷＡＰ１）１５，１６が２重化されて設けられ、各ホットスワップ回路（ＨＯＴ  ＳＷＡＰ０，ＨＯＴ  ＳＷＡＰ１）１５，１６にはそれぞれダイオード１３，１４が接続されると共に、各ダイオード１３，１４の出力側が互いに接続された上、各ダイオード１３，１４の出力側の接続部分の後段には所定の電源供給を行うための直流／直流変換を行うＤＣ／ＤＣコンバータ（ＤＤ  Ｃｏｎ）１２の入力側が接続され、ＤＣ／ＤＣコンバータ（ＤＤ  Ｃｏｎ）１２の出力側から電源供給を送出するように構成されている。
【００３０】
又、バックボート（ＢＢ）８については、２系統の電源回路部（ＰＳ０，ＰＳ１）７，１７から２系統を成すアダプタカード（ＡＤＰ０）４１とアダプタカード（ＡＤＰ１）４２とにおける一対のホットスワップ回路（ＨＯＴ  ＳＷＡＰ０，ＨＯＴ  ＳＷＡＰ１）５，６と一対のホットスワップ回路（ＨＯＴ  ＳＷＡＰ０，ＨＯＴ  ＳＷＡＰ１）１５，１６とに対してそれぞれ電源供給するための電源パターンが施されている。
【００３１】
更に、コネクタ部９，１９，２０，３０については、２系統の電源回路部（ＰＳ０，ＰＳ１）７，１７とバックボート（ＢＢ）８との間を接続する一対のコネクタ部９，１９の場合、それぞれ電源パターンの１系統のものに接続される構造を持ち、２系統のアダプタカード（ＡＤＰ０，ＡＤＰ１）４１，４２とバックボート（ＢＢ）８との間を接続する一対のコネクタ部２０，３０の場合、それぞれ電源パターンの２系統のものに接続される構造を持っている。このため、上述したバックボート（ＢＢ）８上に設けられた電源パターンは、１系統のものに接続される構造の一対のコネクタ部９，１９から２系統に接続される構造の一対のコネクタ部２０，３０へと分岐されたパターン形状を有するものとなっている。
【００３２】
このような構成のディスクエンクロージャ装置（ＤＥＳ）１０では、電源回路部（ＰＳ０）７からのコネクタ部９を通しての電源供給がバックボート（ＢＢ）８上の電源パターンで分岐されてコネクタ部２０，３０を通してアダプタカード（ＡＤＰ０）４１のホットスワップ回路（ＨＯＴ  ＳＷＡＰ０）５とアダプタカード（ＡＤＰ１）４２のホットスワップ回路（ＨＯＴ  ＳＷＡＰ０）１５とに対して送出され、同様に電源回路部（ＰＳ１）１７からのコネクタ部１９を通しての電源供給がバックボート（ＢＢ）８上の電源パターンで分岐されてコネクタ部２０，３０を通してアダプタカード（ＡＤＰ０）４１のホットスワップ回路（ＨＯＴ  ＳＷＡＰ１）６とアダプタカード（ＡＤＰ１）４２のホットスワップ回路（ＨＯＴ  ＳＷＡＰ１）１６とに対して送出されるようになっている。
【００３３】
そこで、以下は、このディスクエンクロージャ装置（ＤＥＳ）１０において、各コネクタ部９，１９，２０，３０で故障が発生した場合の動作を説明する。
【００３４】
例えば活線挿抜可能な電源回路部（ＰＳ０）７のコネクタ部９でピン曲がり等が発生して電源とＧＮＤとがショートすると、電源回路部（ＰＳ０）７については過電流を検出して出力を停止することにより、アダプタカード（ＡＤＰ０）４１上のホットスワップ回路（ＨＯＴ  ＳＷＡＰ０）５とアダプタカード（ＡＤＰ１）４２のホットスワップ回路（ＨＯＴ  ＳＷＡＰ０）１５とに対する電源供給が停止されてしまう。しかしながら、冗長機能を保持した電源回路部（ＰＳ１）１７によってアダプタカード（ＡＤＰ０）４１上のホットスワップ回路（ＨＯＴ  ＳＷＡＰ１）６とアダプタカード（ＡＤＰ１）４２のホットスワップ回路（ＨＯＴ  ＳＷＡＰ１）１６とに対する電源供給が行われて動作継続する。この結果、装置全体としては冗長構成より正常動作の継続が可能となる。
【００３５】
或いは、同様に活線挿抜可能な電源回路部（ＰＳ１）１７のコネクタ部１９でピン曲がり等が発生して電源とＧＮＤとがショートした場合においても、電源回路部（ＰＳ１）１７については過電流を検出して出力を停止することにより、アダプタカード（ＡＤＰ０）４１上のホットスワップ回路（ＨＯＴ  ＳＷＡＰ１）６とアダプタカード（ＡＤＰ１）４２のホットスワップ回路（ＨＯＴ  ＳＷＡＰ１）１６とに対する電源供給が停止されてしまう。しかしながら、冗長機能を保持した電源回路部（ＰＳ０）７によってアダプタカード（ＡＤＰ０）４１上のホットスワップ回路（ＨＯＴ  ＳＷＡＰ０）５とアダプタカード（ＡＤＰ１）４２のホットスワップ回路（ＨＯＴ  ＳＷＡＰ０）１５とに対する電源供給が行われて動作継続する。この結果、装置全体としては冗長構成より正常動作の継続が可能となる。
【００３６】
一方、アダプタカード（ＡＤＰ０）４１上のホットスワップ回路（ＨＯＴ  ＳＷＡＰ０）５へ電源供給するコネクタ部２０でピン曲がり等が発生して電源とＧＮＤがショートした場合、電源回路部（ＰＳ０）７については過電流を検出して出力を停止することにより、アダプタカード（ＡＤＰ０）４１上のホットスワップ回路（ＨＯＴ  ＳＷＡＰ０）５とアダプタカード（ＡＤＰ１）４２のホットスワップ回路（ＨＯＴ  ＳＷＡＰ０）１５とに対する電源供給が停止されてしまう。しかしながら、冗長機能を保持した電源回路部（ＰＳ１）１７によってアダプタカード（ＡＤＰ０）４１上のホットスワップ回路（ＨＯＴ  ＳＷＡＰ１）６とアダプタカード（ＡＤＰ１）４２のホットスワップ回路（ＨＯＴ  ＳＷＡＰ１）１６とに対する電源供給が行われて動作継続する。この結果、装置全体としては冗長構成より正常動作の継続が可能となる。
【００３７】
或いは、同様にアダプタカード（ＡＤＰ０）４１上のホットスワップ回路（ＨＯＴ  ＳＷＡＰ１）６へ電源供給するコネクタ部２０でピン曲がり等が発生して電源とＧＮＤがショートした場合においても、電源回路部（ＰＳ１）１７については過電流を検出して出力を停止することにより、アダプタカード（ＡＤＰ０）４１上のホットスワップ回路（ＨＯＴ  ＳＷＡＰ１）６とアダプタカード（ＡＤＰ１）４２のホットスワップ回路（ＨＯＴ  ＳＷＡＰ１）１６とに対する電源供給が停止されてしまう。しかしながら、冗長機能を保持した電源回路部（ＰＳ０）７によりアダプタカード（ＡＤＰ０）４１上のホットスワップ回路（ＨＯＴ  ＳＷＡＰ０）５とアダプタカード（ＡＤＰ１）４２のホットスワップ回路（ＨＯＴ  ＳＷＡＰ０）１５とに対する電源供給が行われて動作継続する。この結果、装置全体として冗長構成より正常動作の継続が可能となる。
【００３８】
他方、アダプタカード（ＡＤＰ１）４２上のホットスワップ回路（ＨＯＴ  ＳＷＡＰ０）１５へ電源供給するコネクタ部３０でピン曲がり等が発生して電源とＧＮＤがショートした場合、電源回路部（ＰＳ０）７については過電流を検出して出力を停止することにより、アダプタカード（ＡＤＰ０）４１上のホットスワップ回路（ＨＯＴ  ＳＷＡＰ０）５とアダプタカード（ＡＤＰ１）４２のホットスワップ回路（ＨＯＴ  ＳＷＡＰ０）１５とに対する電源供給が停止されてしまう。しかしながら、冗長機能を保持した電源回路部（ＰＳ１）１７によってアダプタカード（ＡＤＰ０）４１上のホットスワップ回路（ＨＯＴ  ＳＷＡＰ１）６とアダプタカード（ＡＤＰ１）４２のホットスワップ回路（ＨＯＴ  ＳＷＡＰ１）１６とに対する電源供給が行われて動作継続する。この結果、装置全体としては冗長構成より正常動作の継続が可能となる。
【００３９】
或いは、同様にアダプタカード（ＡＤＰ１）４２上のホットスワップ回路（ＨＯＴ  ＳＷＡＰ１）１６へ電源供給するコネクタ部３０でピン曲がり等が発生して電源とＧＮＤがショートした場合においても、電源回路部（ＰＳ１）１７については過電流を検出して出力を停止することにより、アダプタカード（ＡＤＰ０）４１上のホットスワップ回路（ＨＯＴ  ＳＷＡＰ１）６とアダプタカード（ＡＤＰ１）４２のホットスワップ回路（ＨＯＴ  ＳＷＡＰ１）１６とに対する電源供給が停止されてしまう。しかしながら、冗長機能を保持した電源回路部（ＰＳ０）７によりアダプタカード（ＡＤＰ０）４１上のホットスワップ回路（ＨＯＴ  ＳＷＡＰ０）５とアダプタカード（ＡＤＰ１）４２のホットスワップ回路（ＨＯＴ  ＳＷＡＰ０）１５とに対する電源供給が行われて動作継続する。この結果、装置全体としては冗長構成より正常動作の継続が可能となる。
【図面の簡単な説明】
【００４０】
【図１】本発明の実施例に係るディスクエンクロージャ装置の基本構成を示した概略回路ブロック図である。
【図２】従来のディスクエンクロージャ装置の基本構成を示した概略回路ブロック図である。
【符号の説明】
【００４１】
２，１２  ＤＣ／ＤＣコンバータ（ＤＤ  Ｃｏｎ）
３，４，１３，１４  ダイオード
５，１５  ホットスワップ回路（ＨＯＴ  ＳＷＡＰ０）
６，１６  ホットスワップ回路（ＨＯＴ  ＳＷＡＰ１）
７  電源回路部（ＰＳ０）
８，８′  バックボード（ＢＢ）
９，１９，２０，３０，２０′，３０′  コネクタ部
１０，１０′  ディスクエンクロージャ装置（ＤＥＳ）
１７  電源回路部（ＰＳ１）
４１，４１′  アダプタカード（ＡＤＰ０）
４２，４２′  アダプタカード（ＡＤＰ１）
【図１】
2007233793.tif 000003
【図２】
2007233793.tif 000004